(57)【特許請求の範囲】
【請求項１】
処理液と濾材を接触させて生物学的処理を行う反応槽を備えたし尿処理装置において、前記反応槽に、回転軸となる管部材と、この管部材に取付けて濾材中で回転させる散水羽根とを備えた回転型散水装置を設け、前記散水羽根には、前記管部材の内部へと連通する散水口を設けると共に、前記管部材に回転力を与える駆動装置を備えたことを特徴とするし尿処理装置。
【請求項２】
前記散水羽根の形状を、その回転方向に向けて先細りした形状としたことを特徴とする請求項１記載のし尿処理装置。
【請求項３】
前記反応槽の壁材を、放射状に立設した複数の板部材と、これら板部材に設けた切込みに挟持して取付ける複数の截頭円錐状の水受けガイドとで形成したことを特徴とする請求項１又は２記載のし尿処理装置。
【請求項４】
前記反応槽の下方には、ドレンパンを設けたことを特徴とする請求項１〜３の何れかに記載のし尿処理装置。
【請求項５】
前記反応槽の底面をパンチング材で形成すると共に、この反応槽の底面と前記ドレンパンとの間に、空気取り入れ間隔を設けたことを特徴とする請求項４記載のし尿処理装置。
【発明の詳細な説明】
【０００１】
【発明の属する技術分野】
本発明は、例えば観光地、イベント会場、高速道路のサービスエリア、建築現場等に設置される循環型のし尿処理装置に関するものである。
【０００２】
【従来の技術】
観光地、イベント会場、高速道路のサービスエリア、建築現場等に設置する水洗式のトイレは、洗浄水の確保や処理水の廃棄が困難な場合が多いため、し尿浄化処理を行った後の処理水を洗浄水として再利用できる循環型のし尿処理装置を利用するのが有効である。
また、上記のような場所では、薬液化学処理を用いると、化学物質によって周辺環境を汚染するおそれがあるので、微生物処理を用いたし尿処理装置を用いるのが望ましいと考えられている。
【０００３】
そこで、従来、処理液を曝気して、処理液中の有機物を好気性微生物の代謝作用によって分解する曝気法と、濾材を充填した反応槽中に処理液を散水し、生物学的処理によって有機物を分解する散水濾床法を組み合わせ、各処理方法の利点を生かすように構成したし尿処理装置が提案されている。
【０００４】
この従来の一例として、本発明者は、特開２００１−１３７８７６号において、内周面に斜め下方向に突出するように水切りガイドを周設した反応槽を備えたし尿処理装置を提案している。この発明は、散水装置から散水された処理液が、反応槽の内周面を伝って濾材と十分に接触せずに下方に流出してしまう短絡現象を回避することを目的としたものである。
【０００５】
また、本発明者は、特願２０００−３１１９７０号において、壁材がパンチング材で構成されたし尿処理装置用の反応槽（以下、「蒸発反応槽」という。）において、この蒸発反応槽の外周面に、斜め上方向に突出するように水受けガイドを周設した蒸発反応槽を提案している。
【０００６】
すなわち、図６は、特願２０００−３１１９７０号の蒸発反応槽を側面から見た状態の一部切り欠き図、図７は、図６におけるＡ−Ａ’断面図であるが、この発明では、蒸発反応槽１０１の外周面に、水切りガイド１１２を周設した位置から斜め上方向に突出するように水受けガイド１１３を周設するように構成したので、蒸発反応槽１０１が過負荷状態となり、流入口１１４から導入した処理液がパンチング材１１１の孔を通って蒸発反応槽１０１の外周面側に流出してきた場合でも、これを水受けガイド１１３によって受け止めて、再び蒸発反応槽１０１の中へ誘導できるという作用が得られる。
【０００７】
【発明が解決しようとする課題】
ところが、上記した特願２０００−３１１９７０号の蒸発反応槽１０１は、濾床の上方に設けた散水装置１０２から処理液を散水するものであるため、蒸発反応槽１０１内に充填した濾材は、実際には約４０％位しか活用されておらず、処理効率の点では必ずしも十分なものではないという問題点があった。この点は、特開２００１−１３７８７６号の反応槽でも同様のことが言える。
【０００８】
特に、観光地、イベント会場、高速道路のサービスエリア、建築現場等に設置する水洗式のトイレの場合、設置スペースに制限があるため、し尿処理装置において最も容積を占める反応槽は、極力小型化することが求められる。そのためには、濾材の活用率の向上が不可欠である。
【０００９】
本発明は、上記した従来の問題点に鑑みてなされたものであり、反応槽において、濾材の活用率を可及的に向上することが可能なし尿処理装置を提供することを目的としている。
【００１０】
【課題を解決するための手段】
上記した目的を達成するために、本発明のし尿処理装置は、処理液と濾材を接触させて生物学的処理を行う反応槽を備えたし尿処理装置において、前記反応槽に、回転軸となる管部材と、この管部材に取付けて濾材中で回転させる散水羽根とを備えた回転型散水装置を設け、前記散水羽根には、前記管部材の内部へと連通する散水口を設けると共に、前記管部材に回転力を与える駆動装置を備えた構成としたのである。
【００１１】
上記の構成を採用することにより、本発明のし尿処理装置では、散水羽根を濾材の中で回転させながら、この散水羽根に設けた散水口から処理液を散水できるので、濾材と処理液が十分に接触することとなり、濾材の活用率が可及的に向上する。したがって、従来のし尿処理装置に比べて反応槽の小型化を図ることも可能となる。
【００１２】
【発明の実施の形態】
本発明のし尿処理装置は、処理液と濾材を接触させて生物学的処理を行う反応槽を備えたし尿処理装置において、前記反応槽に、回転軸となる管部材と、この管部材に取付けて濾材中で回転させる散水羽根とを備えた回転型散水装置を設け、前記散水羽根には、前記管部材の内部へと連通する散水口を設けると共に、前記管部材に回転力を与える駆動装置を備えた構成である。
【００１３】
ここで、散水羽根を管部材に取付ける際には、散水羽根が濾材中に埋め込まれる位置を選択して取付ける必要がある。しかし、散水羽根を取付ける枚数については、反応槽のサイズ等に応じて適宜決定することができる。また、散水羽根の形状も、特に限定をするものではない。
【００１４】
しかしながら、散水羽根の形状は、その回転方向に向けて先細りした形状とする方がより望ましい。このようにすれば、散水羽根と濾材の間に生じる抵抗を低減させることができるので、散水羽根の回転が円滑となり、駆動装置の負荷を軽減することができるからである。
【００１５】
また、本発明のし尿処理装置では、反応槽の壁材の構成は特に限定をするものではなく、例えば、特願２０００−３１１９７０号と同様に、ステンレス製のパンチング材で構成しても、差し支えはない。
【００１６】
しかしながら、反応槽内の生物学的処理の能力を向上するには通気性を向上する必要があるため、反応槽は極力外部に対して開放していることが望ましい。
そこで、本発明では、反応槽の壁材は、放射状に立設した複数の板部材と、これら板部材に設けた切込みに挟持して取付ける複数の截頭円錐状の水受けガイドとで形成する方がより望ましい。このようにすれば、水受けガイド同士の間は外部に開放した状態となるので、壁材をパンチング材で構成するよりもさらに通気性が良くなるからである。
【００１７】
また、上記のように反応槽の壁材を、複数の截頭円錐状の水受けガイドで構成する場合、万一、水受けガイドから処理液が溢れると、処理液が反応槽の周囲に流出するトラブルが生じるおそれがある。
そこで、このようなトラブルを回避するために、本発明では、反応槽の下方には、ドレンパンを設ける方がより望ましい。このようにすれば、万一、水受けガイドから処理液が溢れた場合でも、溢れた処理液はドレンパンによって受け止められ、回収することができるからである。
【００１８】
また、本発明では、上記のように反応槽の下方にドレンパンを設ける際には、反応槽の底面をパンチング材で形成すると共に、この反応槽の底面とドレンパンとの間に、空気取り入れ間隔を設ける方がより望ましい。このようにすれば、反応槽の下方からも空気を取り入れることができ、反応槽内の通気性がより一層向上するからである。
【００１９】
【実施例】
以下、本発明を添付図面に示す実施例に基いて説明する。図１は、第１実施例のし尿処理装置の反応槽を側面から見た状態の一部切り欠き図、図２は、図１におけるＡ−Ａ’断面図、図３は、散水羽根と管部材の接合部付近を拡大した断面図、図４は、第２実施例のし尿処理装置を側面から見た状態の一部切り欠き図、図５は、図４を平面から見た状態の説明図である。
【００２０】
第１実施例のし尿処理装置は、図１〜２に示すように、処理液と濾材を接触させて生物学的処理を行う反応槽１を備えたものである。２は、回転軸となる管部材２ａと、この管部材２ａに取付けた３枚の散水羽根２ｂを備えた回転型散水装置を表しており、散水羽根２ｂは、反応槽１の内部に濾材として充填された杉チップに埋め込まれた状態となっている。
【００２１】
ここで、散水羽根２ｂは、杉チップ中で回転しながら処理液を散水する役割を果たすものである。第１実施例のし尿処理装置では、図１に示すように、３枚の散水羽根２ｂを高さ位置を変えて管部材２ａに取付けているので、杉チップ全体がまんべんなく攪拌されるという作用が得られる。
【００２２】
２ｄは、曝気槽で処理された処理液が導入される流入口を表している。散水羽根２ｂの下面には、図３に示すように、管部材２ａの内部へと連通する散水口２ｃが５箇所設けられているので、流入口２ｄに導入された処理液は、管部材２ａの内部を通って散水羽根２ｂの散水口２ｃに達し、さらに散水口２ｃから流出して杉チップと接触することとなる。なお、３は、ベルト３ａを介して管部材２ａに回転力を与える駆動装置を表している。
【００２３】
上記のように構成したので、第１実施例のし尿処理装置では、散水羽根２ｂを濾材の中で回転させながら、この散水羽根２ｂに設けた散水口２ｃから処理液を散水できるので、濾材と処理液が十分に接触することとなる。したがって、従来の反応槽に比べて、濾材の活用率を可及的に向上させることができる。
なお、散水羽根２ｂは、常時回転させておく必要はなく、第１実施例のし尿処理装置では、例えば１分間に１回の割合で回転させるようにしている。
【００２４】
また、第１実施例では、散水羽根２ｂは、その回転方向（図２における反時計周り方向）に向けて先細りした形状のものを用いている。このようにすれば、散水羽根２ｂと杉チップとの間に生じる抵抗を低減させることができるので、散水羽根２ｂの回転が円滑となり、駆動装置３の負荷を軽減することができるからである。
【００２５】
図１〜２に示すように、第１実施例のし尿処理装置の反応槽１では、放射状に立設した８枚の板部材４と、これら板部材４の外周側の辺上に斜め下向きに設けた切込みに挟持して取付ける６枚の截頭円錐状の水受けガイド５とで壁を形成している。このようにすれば、複数取付けた水受けガイド５同士の間は、外部に開放した状態となるので、反応槽１内の通気性が良くなり、反応槽１の処理能力が向上するからである。
【００２６】
次に、図４〜５は、第２実施例のし尿処理装置Ｓを表した図である。第２実施例のし尿処理装置Ｓでは、図４に示すように、反応槽１の底面の下方にドレンパン６を設けた構成としたので、万一、水受けガイド５から処理液が溢れた場合でも、これをドレンパン６によって受け止めて、貯水槽１１の方に回収することができる。なお、１０は、反応槽１の周囲に設けた曝気槽を表している。
【００２７】
また、第２実施例のし尿処理装置Ｓでは、反応槽１の底面は、パンチング材７で形成すると共に、そのパンチング材７とドレンパン６との間には、空気取り入れ間隔８として１００ｍｍの隙間を設けている。このようにすれば、反応槽１の下方からも空気を取り入れることができるので、反応槽１内の通気性が向上し、し尿処理装置Ｓの処理能力がより一層向上するからである。
【００２８】
なお、本実施例では、散水羽根２ｂを３枚設ける場合の例を開示したが、散水羽根２ｂを設ける枚数や取付け位置は、反応槽１のサイズ等に応じて決定すればよく、本実施例のものに限定されることはない。また、本実施例では、水受けガイドを６枚設ける場合の例を開示したが、水受けガイドを設ける枚数や取付け位置についても、適宜決定すれば良いことは勿論である。
【００２９】
【発明の効果】
以上説明したように、本発明のし尿処理装置では、散水羽根を濾材の中で回転させながら、この散水羽根に設けた散水口から処理液を散水することができるので、濾材と処理液が十分に接触し、濾材の活用率が約６０％にまで向上するという優れた効果が得られる。したがって、従来のし尿処理装置に比べて反応槽の小型化を図ることも可能となる。
【図面の簡単な説明】
【図１】第１実施例のし尿処理装置の反応槽を側面から見た状態の一部切り欠き図である。
【図２】図１におけるＡ−Ａ’断面図である。
【図３】散水羽根と管部材の接合部付近を拡大した断面図である。
【図４】第２実施例のし尿処理装置を側面から見た状態の一部切り欠き図である。
【図５】図４を平面から見た状態の説明図である。
【図６】特願２０００−３１１９７０号の蒸発反応槽を側面から見た状態の一部切り欠き図である。
【図７】図６におけるＡ−Ａ’断面図である。
【符号の説明】
Ｓ    し尿処理装置
１    反応槽
２    回転型散水装置
２ａ  管部材
２ｂ  散水羽根
２ｃ  散水口
３    駆動装置
４    板部材
５    水受けガイド
６    ドレンパン
７    パンチング材
８    空気取り入れ間隔
【図１】
0003766792.tif 000002
【図２】
0003766792.tif 000003
【図３】
0003766792.tif 000004
【図４】
0003766792.tif 000005
【図５】
0003766792.tif 000006
【図６】
0003766792.tif 000007
【図７】
0003766792.tif 000008